(57)【特許請求の範囲】
【請求項１】
第一の包装部材と第二の包装部材と間に物品が収容され、第一の包装部材との間の接着力が小さく第二の包装部材との間の接着力が大きいイージーピールシーラント層を介して、両包装部材同士が剥離可能にヒートシールされている包装体であって、
イージーピールシーラント層と第二の包装部材との間に物品の縁部が挟み込まれており、開封時にイージーピールシーラント層の一部が他の部分から分離して物品の縁部を第二の包装部材に保持するための保持部となることを特徴とする包装体。
【請求項２】
前記イージーピールシーラント層の一部のうち外側領域は第二の包装部材に直接ヒートシールされ、該外側領域よりも内側に位置する内側領域と第二の包装部材との間に物品の縁部が挟み込まれて該内側領域が前記保持部となる請求項１記載の包装体。
【請求項３】
保持部が物品の周縁部の全周に亘って設けられる請求項１又は２記載の包装体。
【請求項４】
第一の包装部材は、片面側の表層がイージーピールシーラント層であるシートから収容凹部とフランジ部とを有する形状に形成された容器本体であり、第二の包装部材は容器本体の収容凹部を閉塞すべくフランジ部にヒートシールされた蓋であり、容器本体のフランジ部におけるイージーピールシーラント層には切離線が形成され、物品の縁部の少なくとも一部が切離線よりも外側に位置するようにして容器本体のフランジ部と蓋との間に挟み込まれており、開封時に切離線よりも外側に位置するイージーピールシーラント層の領域が切離線よりも内側に位置するイージーピールシーラント層の領域から分離して蓋と共に容器本体から分離する請求項１乃至３の何れかに記載の包装体。
【請求項５】
フランジ部におけるシートの基材には、該基材の一部を基材の他の部分から切離するための切離線が形成されている請求項４記載の包装体。
【請求項６】
前記基材の一部が蓋と共に物品の縁部を挟み込むように基材の切離線が形成されている請求項５記載の包装体。
【請求項７】
基材の切離線はイージーピールシーラント層の切離線よりも外側に位置している請求項６記載の包装体。
【請求項８】
イージーピールシーラント層の切離線と基材の切離線が共にフランジ部の全周に亘って形成されている請求項５乃至７の何れかに記載の包装体。
【請求項９】
フランジ部には蓋よりも外側に突出した延長部が形成され、該延長部は、基材の切離部によって切離される基材の一部に含まれている請求項５乃至８の何れかに記載の包装体。
【請求項１０】
前記物品が、収容凹部を区画する仕切りである請求項４記載の包装体。
【発明の詳細な説明】
【技術分野】
【０００１】
本発明は、内部に物品を収容した包装体に関する。
【背景技術】
【０００２】
この種の包装体として、例えば下記特許文献には、凹部が形成されたシートの上にフィルムシールが固着され、シートとフィルムシールとの間に形成された密閉空間にシートの凹部に略合致した形状の発泡体を収容する構成が記載されている。該発泡体は、予めフィルムシールの内面に熱や超音波、高周波により溶接しておく場合の他に、シートの凹部に発泡体を収容した後においてフィルムシールをシートに溶接する際にフィルムシールの内面に発泡体を溶接する。そして、発泡体がフィルムシールの内面に固着されているので、フィルムシールをシートから剥がして開封すると、発泡体をフィルムシールと共にシートから取り外すことができる。【０００３】
しかしながら、発泡体をフィルムシールの内面に溶接する構造であるので発泡体の材質は溶接できる材質でなければならない。また、発泡体を予めフィルムシールの内面に溶接しておく場合には、その溶接工程が必要となるうえに、変形しやすい発泡体をフィルムシールに溶接することは容易ではない。更に、シートの凹部に発泡体を収容した後にその発泡体をフィルムシールの内面に溶接する場合においても、フィルムシールを押圧すると発泡体とシートが変形して押しつぶされるので、やはり発泡体をフィルムシールの内面に溶接することは容易ではない。また、フィルムシールの内面に発泡体を確実に溶接することが困難であることから、フィルムシールを剥がして開封した際に発泡体がシートの凹部にそのまま残留するというおそれもある。
【先行技術文献】
【特許文献】
【０００４】
【特許文献１】特開２００２−２３８６５９号公報
【発明の概要】
【発明が解決しようとする課題】
【０００５】
それゆえに本発明は上記従来の問題点に鑑みてなされ、簡単な構造でありながらも、収容した物品を開封時に一方の包装部材と共に確実に取り出すことができる包装体を提供することを課題とする。
【課題を解決するための手段】
【０００６】
本発明は、上記課題を解決すべくなされたものであって、本発明に係る包装体は、第一の包装部材と第二の包装部材と間に物品が収容され、第一の包装部材との間の接着力が小さく第二の包装部材との間の接着力が大きいイージーピールシーラント層を介して、両包装部材同士が剥離可能にヒートシールされている包装体であって、イージーピールシーラント層と第二の包装部材との間に物品の縁部が挟み込まれており、開封時にイージーピールシーラント層の一部が他の部分から分離して物品の縁部を第二の包装部材に保持するための保持部となることを特徴とする。【０００７】
該構成の包装体にあっては、開封時にイージーピールシーラント層の一部がイージーピールシーラント層の他の部分から分離し、イージーピールシーラント層の一部は第二の包装部材側に位置し、イージーピールシーラント層の他の部分は第一の包装部材側に位置する。そして、イージーピールシーラント層の一部が保持部となって物品の縁部を保持するので、物品が第二の包装部材と共に第一の包装部材から離れる。尚、開封時には、第一の包装部材から第二の包装部材を完全に分離しても、逆に完全には分離しなくてもよい。【０００８】
特に、前記イージーピールシーラント層の一部のうち外側領域は第二の包装部材に直接ヒートシールされ、該外側領域よりも内側に位置する内側領域と第二の包装部材との間に物品の縁部が挟み込まれて該内側領域が前記保持部となることが好ましい。該構成によれば、包装体の密封状態と物品の保持とを容易に両立することができる。【０００９】
更に、保持部が物品の周縁部の全周に亘って設けられることが好ましい。保持部が物品の周縁部を周方向に間隔を置きながら複数箇所で保持する構成とすることもできるが、保持部が物品の周縁部の全周に亘って設けられていれば物品をより一層確実に保持することができ、第一の包装部材や第二の包装部材に対する物品の位置のばらつきの許容範囲も拡大する。【００１０】
また、第一の包装部材は、片面側の表層がイージーピールシーラント層であるシートから収容凹部とフランジ部とを有する形状に形成された容器本体であり、第二の包装部材は容器本体の収容凹部を閉塞すべくフランジ部にヒートシールされた蓋であり、容器本体のフランジ部におけるイージーピールシーラント層には切離線が形成され、物品の縁部の少なくとも一部が切離線よりも外側に位置するようにして容器本体のフランジ部と蓋との間に挟み込まれており、開封時に切離線よりも外側に位置するイージーピールシーラント層の領域が切離線よりも内側に位置するイージーピールシーラント層の領域から分離して蓋と共に容器本体から分離することが好ましい。例えば製造工程においてイージーピールシーラント層として別途の環状（円形には限らない）のイージーピールフィルムを容器本体のフランジ部と蓋との間に位置させるということも可能であるが、容器本体をイージーピールシーラント層を有するシートから構成することにより、イージーピールフィルムを別途セットする工程が不要になり、包装体の製造が容易になる。また、容器本体のフランジ部と蓋との間に物品の縁部を挟み込むので、容器本体のフランジ部に蓋を容易且つ確実にヒートシールすることができる。そして、切離線よりも外側に位置するイージーピールシーラント層の領域が開封時に容器本体から分離するので、そのイージーピールシーラント層の領域で物品を蓋に容易に保持させることができる。【００１１】
その場合、特に、フランジ部におけるシートの基材には、該基材の一部を基材の他の部分から切離するための切離線が形成されていることが好ましい。この場合、開封時に基材の切離線によって基材の一部が基材の他の部分から切離され、切り離された基材の一部は蓋と共に容器本体から離れることになる。該切り離される基材の一部は蓋の補強となるので、開封作業が容易になると共に開封後においても蓋を容易に持つことができる。【００１２】
更に、前記基材の一部が蓋と共に物品の縁部を挟み込むように基材の切離線が形成されていることが好ましい。蓋を上側とし容器本体を下側としたとき、物品の縁部の下側に基材の切離線が位置し、切り離される基材の一部と物品の縁部とが上下に重なり合った部分を有することになる。このような位置に基材の切離線を形成すると、イージーピールシーラント層の切離線よりも外側の領域が物品の縁部を下側から支えるように保持すると共に、更に基材の一部も物品の縁部を下側から支えることになり、物品をより一層安定して保持することができる。【００１３】
また更に、基材の切離線がイージーピールシーラント層の切離線よりも外側に位置していることが好ましい。基材の切離線をイージーピールシーラント層の切離線と同じ位置に形成すると、開封前に両切離線によってフランジ部がその位置で切断されやすくなる。従って、基材の切離線はイージーピールシーラント層の切離線と一致させるのではなく内側あるいは外側に位置ずれさせることが好ましい。また、基材の切離線とイージーピールシーラント層の切離線とが互いに内外異なる位置に形成されていることにより、収容凹部の密封性が確保される。そして、基材の切離線がイージーピールシーラント層の切離線よりも外側に位置すると、基材の切離線がイージーピールシーラント層の切離線よりも内側に位置する場合に比して開封作業をスムーズに行うことができる。【００１４】
また、イージーピールシーラント層の切離線と基材の切離線が共にフランジ部の全周に亘って形成されていることが好ましい。イージーピールシーラント層の切離線がフランジ部の全周に亘って形成されていると、イージーピールシーラント層の一部から構成される保持部が環状となって物品の縁部を確実に保持することができる。そして、基材の切離線もフランジ部の全周に亘って形成されていると、開封によって切り離される基材の一部も環状となり、容器本体から分離された蓋が環状の基材によって効果的に補強されて安定する。尚、環状には円形のみならず楕円形や矩形等の多角形も含まれる。【００１５】
また、フランジ部には蓋よりも外側に突出した延長部が形成され、該延長部は、基材の切離部によって切離される基材の一部に含まれていることが好ましい。該構成によれば、延長部が蓋よりも外側に突出しているので、開封後においてその延長部を摘んだり把持したりすることで容易に蓋を持つことができる。【００１６】
また一方、前記物品を、収容凹部を区画する仕切りとすることができる。この場合、開封前には仕切りによって収容凹部を複数の部屋に区画しておくことができ、例えば、各部屋毎に異なる内容物を収容しておくことができる。そして、開封時に蓋と共に仕切りを外すことができる。即ち、仕切りによって区画されていた複数の部屋が開封動作によって自動的に一つになる。例えば、各部屋毎に異なる内容物を収容しておいた場合には、開封動作によって仕切りが外れることで各部屋の内容物を容易に混ぜ合わせることができる。
【発明の効果】
【００１７】
以上のように、本発明は、開封時に分離するイージーピールシーラント層の一部を利用して物品を第二の包装部材に保持することができるので、簡単な構造で確実に物品を第二の包装部材と共に第一の包装部材から分離することができる。
【図面の簡単な説明】
【００１８】
【図１】本発明の一実施形態における包装体を示す断面図。
【図２】同包装体を開封した状態を示す断面図。
【図３】同包装体の製造途中の状態を示す断面図。
【図４】同包装体の製造途中の状態を示す断面図。
【図５】本発明の他の実施形態における包装体を示す断面図。
【図６】同包装体を開封した状態を示す断面図。
【図７】本発明の他の実施形態における包装体を示し、（ａ）は平面図、（ｂ）はＡ−Ａ断面図。
【図８】図７（ｂ）のＢ部拡大図。
【図９】同包装体を開封した状態を示す断面図。
【図１０】本発明の他の実施形態における包装体を示し、（ａ）は平面図、（ｂ）はＣ−Ｃ断面図。
【図１１】同包装体を開封した状態を示す斜視図。
【図１２】本発明の他の実施形態における包装体の開封状態を示す斜視図。
【図１３】本発明の他の実施形態における包装体を示し、（ａ）は包装前の状態の斜視図、（ｂ）は開封途中の状態の斜視図。
【図１４】（ａ）は同包装体の要部を示す平面図、（ｂ）はＤ−Ｄ断面図。
【発明を実施するための形態】
【００１９】
以下、本発明の一実施形態に係る包装体について図１〜図４を参酌しつつ説明する。本実施形態における包装体は、第一の包装部材としての容器本体１と、第二の包装部材としての蓋２とを備え、容器本体１と蓋２との間に被包装物としての消毒綿５０が収容されている。
【００２０】
容器本体１は、上面開口の浅い有底筒状のものであって、上面に開口した収容凹部１０と、該収容凹部１０の開口縁部に形成されたフランジ部１１とを備えている。具体的には、容器本体１は底部３と該底部３の周縁から上方に立ち上がった側壁部４とを備え、該底部３と側壁部４とからその内側に収容凹部１０が形成され、側壁部４の上端に外側に向けてフランジ部１１が突設されている。収容凹部１０は消毒綿５０が収容可能なサイズ、形状に形成されており、例えば平面視円形である。フランジ部１１は全周に亘って形成されて、その上面は所定幅の平坦面となっている。
【００２１】
かかる容器本体１は、多層シートから絞り加工やシート成型等により形成されたものである。多層シートは、その片面の表層が剥離層、即ち、イージーピールシーラント層１２であって、そのイージーピールシーラント層１２が容器本体１の内面（上面）となる。尚、フランジ部１１に位置するイージーピールシーラント層１２には切離線１４（ノッチ）が全周に亘って形成されていて、該切離線１４を境界としてイージーピールシーラント層１２が内外二つの領域に分離できるようになっている。イージーピールシーラント層１２のうち切離線１４よりも外側に位置する領域は開封によって蓋２と共に容器本体１から分離する分離部３０であり、イージーピールシーラント層１２のうち切離線１４よりも内側に位置する領域は開封後も容器本体１に残る残存部３１である。従って、切離線１４は、イージーピールシーラント層１２を分断できる構造のものであればよく、必ずしも厚みの全体に亘って切り込まれている構造でなくてもよい。また、全周に亘って線状に切離線１４が形成されているものの他、ミシン目状に全周に亘って形成されていてもよい。尚、イージーピールシーラント層１２としては種々の材質を採用できるが、例えば、ポリエチレン系樹脂からなる。
【００２２】
また、多層シートの基材１３は、種々の単層構造や多層構造とすることができるが、特に、ポリプロピレン系樹脂層を採用することが保形性や強度上好ましい。また、多層シートの基材１３がガスバリアー性を持つことが好ましく、そのため基材１３を構成する層にはエチレン−ビニルアルコール共重合体（ＥＶＯＨ）やアルミ箔が使用されていることが好ましい。従って、多層シートの基材１３は、これらのポリプロピレン系樹脂層とガスバリアー性を有する層とを備えていることが好ましい。尚、ガスバリアー性を有する層は内外二つのポリプロピレン系樹脂層の間に位置することが好ましい。
【００２３】
かかる容器本体１のフランジ部１１の上面に蓋２の内面（下面）が剥離可能にヒートシールされている。即ち、蓋２は、容器本体１のイージーピールシーラント層１２にヒートシールされている。蓋２は、柔軟性を有する厚さ数十μｍ程度の多層の合成樹脂製のシートから形成されている。蓋２を構成する多層シートは、基材と、内面を構成するシーラント層とから構成される。基材は、例えばポリエチレンテレフタラート（ＰＥＴ）等のポリエステルから構成される主層と、ガスバリアー性を有する層とを備えていることが好ましい。ガスバリアー性を有する層（例えばアルミ箔）は内外二つの主層の間に位置していることが好ましく、表側に位置する主層の内面には例えば印刷が施される。シーラント層は、例えばポリエチレン系樹脂からなる。
【００２４】
このような容器本体１と蓋２との間に消毒綿５０が挟み込まれるようにして収容されている。具体的には、消毒綿５０は、中央部が厚く周縁部５０ａが薄くなっており、その周縁部５０ａが全周に亘って容器本体１のフランジ部１１の上面に位置している。より詳細には、消毒綿５０の周縁部５０ａは、イージーピールシーラント層１２の切離線１４よりも外側（側方）に所定領域はみ出すようにして載置されている。但し、消毒綿５０の周縁部５０ａはフランジ部１１の外縁までは達しておらず、消毒綿５０の周縁部５０ａとフランジ部１１の外縁との間において、フランジ部１１におけるイージーピールシーラント層１２が蓋２の内面に直接環状にヒートシールされて密封されている。また、消毒綿５０の中央部の厚さは、容器本体１の収容凹部１０の底まで達する程度であり、容器本体１と蓋２との間に収容されることで僅かに圧縮されてもよいし、収容凹部１０の底との間に若干の隙間ができてもよい。消毒綿５０には主としてその中央部に消毒液がしみ込んでいる。尚、消毒綿５０は、綿や麻等の植物繊維やウールやシルク等の動物繊維のような天然繊維、ポリエステルやナイロン等の合成繊維が使用でき、天然繊維と合成繊維を混合したものであってもよい。また、消毒綿５０がガーゼ等の被覆体で被覆されていてもよい。ガーゼ等の被覆体で被覆された消毒綿５０を使用する場合には、その被覆体をフランジ部１１の上に載せて蓋２で挟み込むようにしてもよい。
【００２５】
以上のような構成の包装体は、例えば以下のようにして製造される。図３のように容器本体１に所定量の消毒液５１を入れる。この消毒液５１は、容器本体１に入れておく他、容器本体１には入れずに消毒綿５０に直接含浸させるようにしてもよい。次に、同図のように、消毒綿５０を容器本体１に入れるが、その際、消毒綿５０の周縁部５０ａがイージーピールシーラント層１２の切離線１４よりも外側にはみ出すようにする。消毒綿５０の周縁部５０ａが全周に亘ってイージーピールシーラント層１２の切離線１４よりも外側にはみ出すことが好ましいが、切離線１４よりも外側にはみ出さない箇所が全周のうち部分的に存在していてもよい。そして、図４のように消毒綿５０の全体を覆うように蓋２を被せて蓋２と容器本体１のフランジ部１１とをヒートシールして接着固定する。ヒートシールは例えば上下のシール板で挟み込むようにして行うが、その際、フランジ部１１の略全幅、少なくとも切離線１４より外側全体を挟み込むようにする。従って、蓋２と容器本体１のイージーピールシーラント層１２とは外側においては環状に直接ヒートシールされて密封されると共に内側においては消毒綿５０の周縁部５０ａが蓋２とイージーピールシーラント層１２とで狭持されることになる。この消毒綿５０の周縁部５０ａが挟み込まれた箇所においては蓋２とイージーピールシーラント層１２とは直接ヒートシールされることはないが、ヒートシールの際の押圧力によって消毒綿５０の周縁部５０ａは確実に蓋２とイージーピールシーラント層１２との間に挟み込まれることとなる。
【００２６】
このようにして製造された包装体は、蓋２の周縁部を摘むようにして開封する。蓋２を容器本体１のフランジ部１１から剥離していくと、イージーピールシーラント層１２は切離線１４で内外二つの領域に分断する。即ち、イージーピールシーラント層１２は、蓋２との間の接着力が大きく容器本体１の基材１３との間の接着力が小さいので、切離線１４よりも外側に位置するイージーピールシーラント層１２の領域は、図２のように容器本体１の基材１３から剥離して蓋２と共に容器本体１から離脱する。蓋２に固着した状態で容器本体１から離脱したイージーピールシーラント層１２の領域である分離部３０は、外側領域３０ａと内側領域３０ｂとを有している。外側領域３０ａと内側領域３０ｂは何れも環状である。外側領域３０ａは、蓋２の内面に直接ヒートシールされた領域であり、内側領域３０ｂは、蓋２の内面に直接ヒートシールされておらず蓋２の内面との間に消毒綿５０の周縁部５０ａが挟み込まれている領域である。即ち、イージーピールシーラント層１２の分離部３０の内側領域３０ｂは、消毒綿５０の周縁部５０ａを下側から支えるようにして係止しており、該内側領域３０ｂは消毒綿５０の周縁部５０ａを蓋２に保持するための保持部として機能する。従って、蓋２を容器本体１から剥離するという一つの動作によって、消毒綿５０を容器本体１の収容凹部１０から自動的に取り出すことができる。消毒綿５０はイージーピールシーラント層１２からなる保持部によって蓋２の内面側に保持された状態となっているので、使用者は、容器本体１から剥離した蓋２を持ったまま消毒綿５０を患部等に当てて消毒することができる。
【００２７】
このように、本実施形態の包装体にあっては、消毒綿５０をイージーピールシーラント層１２からなる保持部で蓋２に保持する構成であるので、構造が簡単であって別途の保持手段も不要であり、製造も容易である。特に、容器本体１を構成する多層シートがイージーピールシーラント層１２を備えているので、製造工程においてイージーピールシーラント層１２を構成するために別途のフィルムを積層する必要もない。また、消毒綿５０を蓋２の内面に固定するために接着剤を使用する必要がないので、接着剤の使用による影響を考慮する必要もない。
【００２８】
尚、容器本体１から剥離したイージーピールシーラント層１２の分離部３０のうち保持部となる内側領域３０ｂは、消毒綿５０とは一般的には接着されないが、例えば消毒綿５０の繊維の間にイージーピールシーラント層１２が溶融して入り込むなどして擬似的にヒートシールされていてもよく、また、消毒綿５０の周縁部５０ａが合成繊維である場合にはイージーピールシーラント層１２とヒートシール可能である。このように、消毒綿５０の周縁部５０ａがイージーピールシーラント層１２に擬似的にあるいは所定の接着力を有するようにヒートシールされていれば、消毒綿５０の周縁部５０ａがより一層確実に蓋２に保持されることになる。但し、消毒綿５０の周縁部５０ａがイージーピールシーラント層１２にヒートシールされていなくても構わない。ヒートシールされていなくても、容器本体１から剥離したイージーピールシーラント層１２の分離部３０のうち保持部となる内側領域３０ｂが消毒綿５０の周縁部５０ａを係止するようにして蓋２に保持する。
【００２９】
尚、被包装物としては上述のような消毒綿５０の他に種々のものがあり、複数の被包装物を収容する場合にも適用可能である。例えば、主内容物６０に対して付属的な物品である付属物６１を被包装物として蓋２に保持するようにしてもよい。その一例を図５に示しているが、付属物６１は包装袋６２に包装され、該包装袋６２の周縁部６２ａが蓋２と容器本体１のフランジ部１１との間に狭持されている。収容凹部１０内において主内容物６０は付属物６１と接触していてもよいが、接触させないようにしてもよい。開封すると、主内容物６０はそのまま容器本体１の収容凹部１０に残り、付属物６１は蓋２と共に容器本体１から離れる。付属物６１としては、例えば、乾燥剤や保護材、バリア材等のように保存時は必要であるが使用時には必要でないもの、あるいは、調味料やドレッシング等のように開封後に主内容物６０に対して付随して必要となるもの、あるいは、お漬け物やサラダ、溶けやすい食材等のように、主内容物６０を加熱する場合においてその加熱時に容器本体１から取り外しておきたいもの、あるいはまた、おまけやおもちゃ等のようなキャンペーン用の物品や販促用の物品、これらを代表的なものとして挙げることができるが、これ以外にも種々のものであってよい。何れにしても、開封の際に主内容物６０と分離するものを付属物６１として蓋２に保持させることができる。尚、付属物６１は包装袋６２に包装されているものには限定されず、付属物６１の周縁部を容器本体１と蓋２との間に直接挟み込むようにしてもよい。
【００３０】
また、フランジ部１１におけるシートの基材１３に、該基材１３の一部を基材１３の他の部分から切離するための基材用切離線１５を形成してもよい。その一例を図７〜図９に示している。上述したものと同様に、容器本体１にはフランジ部１１が全周に亘って形成され、該フランジ部１１はその一部を除いて蓋２で覆われている。図７において蓋２は二点鎖線で示している。該蓋２はフランジ部１１の全周のうちの大部分において該フランジ部１１よりも外側に僅かにはみ出す程度の大きさである。そして、蓋２によって覆われていないフランジ部１１の一部は、蓋２よりも外側に突出した延長部１６となっている。即ち、フランジ部１１の外側への突出量は、延長部１６を除いて一定であり、延長部１６においてのみ大きくなっている。この蓋２よりも外側に突出した延長部１６は、指で把持できる程度に十分な突出量と面積とを有している。また、容器本体１は図７（ａ）に示すように平面視において楕円形あるいは長円形であって、その長軸方向の一方に延長部１６が形成されている。
【００３１】
該フランジ部１１に全周に亘ってイージーピールシーラント層１２の切離線１４と基材用切離線１５とがそれぞれ形成されている。図８に拡大図を示しているように、この実施形態においてはイージーピールシーラント層１２の切離線１４がフランジ部１１の内縁近傍に形成されている。このようにイージーピールシーラント層１２の切離線１４をフランジ部１１の内縁近傍に形成することにより、フランジ部１１の上面に載置される被包装物７０の周縁部７０ａの幅を過度に幅広としなくても、被包装物７０の周縁部７０ａをイージーピールシーラント層１２の切離線１４よりも外側に容易にはみ出させることができる。従って、イージーピールシーラント層１２の切離線１４よりも外側に位置する分離部３０のうちその内側領域３０ｂによって被包装物７０の周縁部７０ａを下側から支えるように保持することができる。
【００３２】
そして、イージーピールシーラント層１２の切離線１４よりも外側の位置であって且つ被包装物７０の周縁部７０ａの下側に重なる位置（被包装物７０の周縁部７０ａの外縁よりも内側の位置）に基材用切離線１５が形成されている。該基材用切離線１５としては、例えば、ハーフカット線やミシン目、切り込みで一部つながった線等が挙げられる。該基材用切離線１５は開封時に切離される。従って、フランジ部１１の基材１３のうち基材用切離線１５よりも外側に位置する領域は開封時に容器本体１から切離され、フランジ部１１の基材１３のうち基材用切離線１５よりも内側に位置する領域は切離されずにそのまま容器本体１に残る。フランジ部１１の基材１３のうち基材用切離線１５よりも外側に位置して開封時に容器本体１から切離される領域を、以下、基材切離部１７と称することにする。また、基材用切離線１５がイージーピールシーラント層１２の切離線１４よりも外側に形成されているので、フランジ部１１が同じ位置でその厚さの全体に亘って貫通するということがなく、収容された被包装物７０を容器外部から遮断できる。尚、基材用切離線１５はイージーピールシーラント層１２の切離線１４よりも０．５ｍｍ〜３ｍｍ外側に位置することが好ましい。
【００３３】
また、このように基材用切離線１５が全周に亘って形成されていることから、基材切離部１７は環状であって、該基材切離部１７に延長部１６が存在している。この実施形態では、延長部１６を把持して開封することになる。延長部１６を把持してフランジ部１１を上方に引っ張ると、まず基材用切離線１５が切離される。引き続いて基材用切離線１５とイージーピールシーラント層１２の切離線１４との間に位置するイージーピールシーラント層１２の部分がフランジ部１１の基材１３から剥離し、イージーピールシーラント層１２の切離線１４が切離されてイージーピールシーラント層１２が内側の残存部３１と外側の分離部３０に分かれる。基材用切離線１５が被包装物７０の周縁部７０ａの下側にそれと重なり合うように位置しているので、被包装物７０の周縁部７０ａは、イージーピールシーラント層１２の分離部３０の内側領域３０ｂと基材切離部１７とによって下側から支えられ、それらと蓋２とによって被包装物７０の周縁部７０ａが上下に狭持された状態で、被包装物７０が容器本体１の収容凹部１０から取り出されることになる。
【００３４】
容器本体１から剥離された蓋２の内面周縁部にはその全周に亘って基材切離部１７が付着しているので、蓋２のみの場合に比して強度が大きい。即ち、基材切離部１７によって蓋２が補強されるため、柔軟な蓋２であってもその変形が抑制されることになり、被包装物７０が安定する。特に、基材切離部１７が環状であるので、蓋２を十分に補強することができる。そして、基材切離部１７によって蓋２の変形が抑制されることから、イージーピールシーラント層１２の分離部３０の内側領域３０ｂによる被包装物７０の周縁部７０ａの保持も安定する。更には、基材切離部１７がイージーピールシーラント層１２の分離部３０の内側領域３０ｂを介して被包装物７０の周縁部７０ａを全周に亘って下側から支えるので、イージーピールシーラント層１２の分離部３０の内側領域３０ｂのみで被包装物７０の周縁部７０ａを支える場合に比して被包装物７０をより一層確実に保持することができる。また、容器本体１から分離された蓋２には延長部１６が存在しているので、開封動作に引き続いてその延長部１６を把持することにより、その延長部１６を把持部として利用することができる。例えば、被包装物７０が上述したような消毒綿である場合には開封後にそのまま延長部１６を持ちながら直ちに消毒綿を患部等に当てて消毒することができる。このようにフランジ部１１に延長部１６を設けてそれを把持部として利用することにより、開封作業が容易になるうえに、開封後の被包装物７０の取り扱いも容易になる。
【００３５】
また、基材用切離線１５の態様も種々あって、上述したように環状に形成する以外にも例えば図１０及び図１１のように直線状に形成してもよい。図１０及び図１１に示した実施形態では、基材用切離線１５を二箇所形成している。このように基材用切離線１５は複数であってもよい。詳細には、フランジ部１１は外側への突出量が全周に亘って一定ではなくその一部において突出量が大きい幅広部１８を有している。該突出量の大きい幅広部１８は先細り形状であって互いに対向して左右一対形成されているが、幅広部１８は一箇所であってもよい。蓋２はフランジ部１１に対応した形状であってフランジ部１１の全体が蓋２によって覆われている。そして、フランジ部１１の基材１３の一部を幅広部１８を含めて略三角形状に切離するように基材用切離線１５が左右一対形成されている。両基材用切離線１５は互いに平行である。従って、図１１のように、フランジ部１１の基材１３のうち、両基材用切離線１５よりも内側に位置する左右方向中央部が開封後に容器本体１に残り、両基材用切離線１５よりも外側に位置する左右方向両端部が基材切離部１７となってそれぞれ切離されて蓋２と共に容器本体１から分離する。容器本体１から切離される基材切離部１７には、突出量の大きい幅広部１８が存在しているので、幅広部１８を摘むことで容易に開封することができる。即ち、幅広部１８を摘んで基材用切離線１５を容易に切断することができると共にイージーピールシーラント層１２の分離部３０をフランジ部１１の基材１３から容易に剥離することができる。また、このように基材用切離線１５を直線状に形成する場合においてもその少なくとも一部が被包装物７０の周縁部７０ａの下側に重なり合うようにすることが好ましい。具体的には、図１０（ａ）のように、基材用切離線１５の中央部が被包装物７０の周縁部７０ａの下側に重なり合っている。従って、開封すると、左右二つの基材切離部１７が互いに対向しつつそれぞれ被包装物７０の周縁部７０ａをイージーピールシーラント層１２の分離部３０の内側領域３０ｂを介して下側から支える。このように容器本体１から切り離される基材切離部１７が蓋２と共に被包装物７０の周縁部７０ａを挟み込むことができるように、基材用切離線１５の位置を設定することが好ましい。
【００３６】
尚、容器本体１を平面視矩形とした場合においては、フランジ部１１の四辺のうち例えば一辺あるいは二辺を突出量の大きい幅広部１８としてもよい。何れにしても、フランジ部１１に幅広部１８を形成する場合には基材切離部１７に幅広部１８が含まれるようにする。また、幅広部１８を形成する場合においては、その幅広部１８を含むフランジ部１１の全体を蓋２で覆うようにする以外にも、幅広部１８の一部が蓋２からはみ出すようにして幅広部１８に延長部１６を形成してもよい。
【００３７】
また、図１２のように被包装物７０の周縁部７０ａよりも外側に基材用切離線１５が形成されるようにしてもよい。図１２に示す実施形態では、基材用切離線１５がフランジ部１１の全周に亘って形成されているのではなく全周のうちの一部のみ、具体的には略半周分だけ形成されている。該基材用切離線１５はその周方向の両端においてそれぞれ径方向外側に延設されてフランジ部１１の外縁まで達している。従って、基材用切離線１５によって容器本体１から切離される基材切離部１７は円弧状の部分を有することになる。このように基材切離部１７は環状でなくてもよい。この実施形態では、被包装物７０の周縁部７０ａよりも外側に基材用切離線１５が形成されているので、被包装物７０の周縁部７０ａを基材切離部１７で支えることはできない。しかしながら、基材切離部１７が蓋２の周縁部を補強することによって蓋２の変形が抑制されるため、イージーピールシーラント層１２の分離部３０の内側領域３０ｂも変形しにくくなり、その結果、被包装物７０の周縁部７０ａがイージーピールシーラント層１２の分離部３０の内側領域３０ｂによって安定して係止されることになる。尚、基材切離部１７の一部を構成している延長部１６の形状も任意であって、図１２のように、延長部１６が指先を入れることができるリング状、いわゆるプルトップ型であってもよい。その他に例えば延長部１６を細長い棒状としてもよく、開封後において棒状の延長部１６を把持部とすることができる。
【００３８】
また一方、被包装物７０を蓋２に保持する構成とする以外にも、種々の物品を蓋２に保持させることができる。例えば、図１３及び図１４のように収容凹部１０を区画する仕切り８０を蓋２に保持して開封時に仕切り８０を収容凹部１０から取り出す構成としてもよい。仕切り８０は、板状の仕切り板とすることができ、紙製やプラスチック製とすることが好ましい。該仕切り８０は収容凹部１０を第一の部屋１０ａと第二の部屋１０ｂという二つの部屋に区画する。該仕切り８０の上端面には帯状の薄肉部８１が形成されている。該薄肉部８１は、図１４（ｂ）のように仕切り８０の主部８２の厚さよりも幅広に形成されていて主部８２の両面からそれぞれ側方に鍔状に突出している。また、薄肉部８１の長手方向両端部も主部８２から所定量長手方向に突出しており、図１３（ａ）及び図１４（ａ）のように、その薄肉部８１の長手方向両端部における突出部８１ａがそれぞれ容器本体１のフランジ部１１に載置される。尚、図１４には蓋２と仕切り８０の薄肉部８１を二点鎖線で示している。図１３（ａ）及び図１４（ａ）に示しているように、フランジ部１１の上面にはイージーピールシーラント層１２の切離線１４が全周に亘って形成されているが、該イージーピールシーラント層１２の切離線１４を仕切り８０の薄肉部８１の両突出部８１ａが何れも外側に跨いでいる。即ち、イージーピールシーラント層１２の切離線１４に対して仕切り８０の薄肉部８１の突出部８１ａが外側に一部はみ出している。
【００３９】
尚、容器本体１の底部３のうち第一の部屋１０ａに対応した箇所には上げ底部５が形成されており、図１４（ｂ）のように上げ底部５の第二の部屋１０ｂ側の側面５ａに仕切り８０の下部の一方の面が当接している。また、側壁部４の内面のうち上げ底部５に対応した一対の部分は内側にそれぞれ突出しており、該両突出壁部６の第二の部屋１０ｂ側の各側面６ａに仕切り８０の主部８２の両側部がそれぞれ当接している。尚、両突出壁部６の上面はフランジ部１１の上面と面一であり、薄肉部８１は両突出壁部６の上面にも載置される。これによって薄肉部８１の載置面積を拡大することができ、薄肉部８１を安定して載置できる。また、容器本体１の底部３のうち第二の部屋１０ｂに対応した箇所には、図１４のように位置決め用の凸部７が形成されている。該凸部７は一箇所でもよいが仕切り８０の長手方向に間隔をあけて複数箇所形成することが好ましく、具体的には二箇所形成している。該凸部７は、半球状あるいはドーム状であって、その高さは上げ底部５よりも低い。該凸部７に仕切り８０の下部の他方の面が当接する。従って、仕切り８０は上げ底部５及び両突出壁部６と凸部７とによって主部８２の厚さ方向に挟まれるようにして位置決めされる。尚、蓋２の上には更に例えばシート成形により形成された透明のプラスチック製の外蓋（図示省略）を被せることができる。該プラスチック製の外蓋は、例えば容器本体１のフランジ部１１に外側から嵌合する構成とすることができる。
【００４０】
このように構成された容器本体１の収容凹部１０には被包装物としての粒状の内容物を充填することが好ましい。仕切り８０で収容凹部１０が第一及び第二の部屋１０ａ，１０ｂに区画されているので、各部屋１０ａ，１０ｂ毎に異なる種類の内容物を充填することができる。粒状の内容物としては例えば菓子やペットフード、洗剤、入浴剤等が挙げられる。容器本体１の収容凹部１０に内容物を充填する場合、まず図１４（ａ）のように仕切り８０を収容凹部１０に入れる。そして、第一及び第二の部屋１０ａ，１０ｂにそれぞれ内容物を充填した後、蓋２を容器本体１のフランジ部１１にヒートシールする。尚、イージーピールシーラント層１２の切離線１４よりも外側の領域のみに蓋２がヒートシールされ、切離線１４よりも内側の領域には蓋２がヒートシールされないようにシール板を配置する。従って、両突出壁部６の上面には蓋２はヒートシールされない。
【００４１】
そして、蓋２には第二の部屋１０ｂ側に摘み部２ａが形成されているので、その摘み部２ａを摘んで容器本体１から蓋２を上方に引き上げるように剥離して開封する。このように蓋２を第二の部屋１０ｂ側から開けていくと、イージーピールシーラント層１２の分離部３０がフランジ部１１の基材１３から剥離して蓋２と共に容器本体１から分離していく。イージーピールシーラント層１２の分離部３０と蓋２との間には仕切り８０の薄肉部８１の両突出部８１ａが挟み込まれているので、仕切り８０の薄肉部８１の両突出部８１ａがイージーピールシーラント層１２の分離部３０によって係止されて上方に引き上げられ、図１３（ｂ）のように蓋２と共に仕切り８０が上方に持ち上げられていく。即ち、蓋２を開封することによって収容凹部１０から仕切り８０を自動的に抜き出すことができ、蓋２と仕切り８０を一つの動作で容器本体１から分離することができる。このように開封動作によって収容凹部１０から仕切り８０が除去されるので、仕切り８０によって区画されていた第一及び第二の部屋１０ａ，１０ｂが開封動作に伴って自動的に一つになる。従って、開封後直ちに各部屋１０ａ，１０ｂの内容物同士を容易に混ぜ合わせることができる。尚、仕切り８０を板状ではなく筒状としてもよく、その筒状の仕切り８０の内側にも内容物を充填してもよい。また、仕切り８０を複数設けてもよい。仕切り８０を複数設ける場合にはそれらの全部を蓋２に保持して収容凹部１０から取り出すようにしてもよいし、そのうちの一部のみを蓋２と共に取り出すようにしてもよい。このように、蓋２で保持する対象物は被包装物には限られず、収容凹部１０に収容されている物品であればよい。
【００４２】
尚、イージーピールシーラント層１２に設けた切離線１４をフランジ部１１の全周のうち一部には形成しないようにしてもよく、開封時において蓋２の一部が容器本体１に接着した状態で残る態様であってもよい。
【００４３】
更に、上記実施形態では、イージーピールシーラント層１２が容器本体１を構成する多層シートに設けられていたが、イージーピールシーラント層１２を構成するフィルムを容器本体１を構成するシートとは別体構成とすることもできる。その場合には、イージーピールシーラント層１２を構成するフィルムを環状としてフランジ部１１の上にセットすることが好ましい。
【００４４】
また更に、上記実施形態では、保形性を有する容器本体１と柔軟性を有する蓋２とからなる包装体について説明したが、第一の包装部材と第二の包装部材を共に柔軟性を有するシートから構成するようにしてもよい。
【符号の説明】
【００４５】
１    容器本体（第一の包装部材）
２    蓋（第二の包装部材）
２ａ  摘み部
３    底部
４    側壁部
５    上げ底部
５ａ  側面
６    突出壁部
６ａ  側面
７    凸部
１０    収容凹部
１０ａ  第一の部屋
１０ｂ  第二の部屋
１１    フランジ部
１２    イージーピールシーラント層
１３    基材
１４    切離線
１５    基材用切離線
１６    延長部
１７    基材切離部
１８    幅広部
３０    分離部
３０ａ  外側領域
３０ｂ  内側領域（保持部）
３１    残存部
５０    消毒綿（物品）
５０ａ  周縁部
５１    消毒液
６０    主内容物
６１    付属物（物品）
６２    包装袋
６２ａ  周縁部
７０    被包装物（物品）
７０ａ  周縁部
８０    仕切り（物品）
８１    薄肉部
８１ａ  突出部（縁部）
８２    主部
【図１】
0005974308.tif 000002
【図２】
0005974308.tif 000003
【図３】
0005974308.tif 000004
【図４】
0005974308.tif 000005
【図５】
0005974308.tif 000006
【図６】
0005974308.tif 000007
【図７】
0005974308.tif 000008
【図８】
0005974308.tif 000009
【図９】
0005974308.tif 000010
【図１０】
0005974308.tif 000011
【図１１】
0005974308.tif 000012
【図１２】
0005974308.tif 000013
【図１３】
0005974308.tif 000014
【図１４】
0005974308.tif 000015